(57)【要約】【課題】コントラストを良好に確保しながら、複数の意匠を何れも欠けのない状態で切替表示することのできる光学構造体を提供する。【解決手段】本発明の光学構造体は、第１特定色（青色）の光を透過せず他の特定色（赤色）の光を透過する第１選択透過領域（第１マスク領域ＲＤ）を有する第１マスク層１６、第２特定色（赤色）の光を透過せず他の色（青色）の光を透過する第２選択透過領域（第２マスク領域ＢＵ）を有する第２マスク層１８、並びに、前記第１選択透過領域（第１マスク領域ＲＤ）及び前記第２選択透過領域（第２マスク領域ＢＵ）の重複する領域（領域ＢＢ＋ＲＢ）より小さい遮光領域ＢＫを有する遮光層１４を含む光学積層体６と、光学積層体６を第１特定色（青色）又は第２特定色（赤色）で切り替えて照明可能な照明手段（導光板及び発光手段）とを備えている。【選択図】図２
2013238661.tif 000002
【特許請求の範囲】
【請求項１】
第１特定色の光を透過せず他の特定色の光を透過する第１選択透過領域を有する第１マスク層、
第２特定色の光を透過せず他の特定色の光を透過する第２選択透過領域を有する第２マスク層、
並びに、前記第１選択透過領域及び前記第２選択透過領域の重複する領域より小さい遮光領域を有する遮光層
を含む光学積層体と、
当該光学積層体を前記第１特定色又は前記第２特定色で切り替えて照明可能な照明手段と
を備えたことを特徴とする光学構造体。
【請求項２】
更に、前記光学積層体は、
第ｎ特定色（ｎ＝３又は３，４又は３，４，５又は・・）の光を透過せず他の特定色の光を透過する第ｎ選択透過領域を有する第ｎマスク層を含んでいると共に、
前記遮光層が前記第１選択透過領域ないし前記第ｎ選択透過領域の重複する領域より小さい遮光領域を有するものとなっており、
前記照明手段は、前記第１特定色ないし前記第ｎ特定色の何れかに切り替えて照明可能であるようになっている
ことを特徴とする請求項１に記載の光学構造体。
【請求項３】
前記遮光層は、前記光学積層体の形成精度に応じた分だけ小さくなっている
ことを特徴とする請求項１又は請求項２に記載の光学構造体。
【発明の詳細な説明】
【技術分野】
【０００１】
本発明は、同一表示面において複数の意匠を切り替えて表示可能である光学構造体に関する。
【背景技術】
【０００２】
同一表示面において異なる意匠で表示を切替可能である光学構造体を用いた表示装置として、携帯電話のボタンに適用された下記特許文献１に記載のものが知られている。
この表示装置では、赤（可視領域の長波長側）・緑（中間領域内）・青（短波長側）の原色光を独立して発光可能な照明と、順次重ねられた第１ないし第３の選択表示層を有している。
第１ないし第３の選択表示層は、それぞれ、第１ないし第３の透過部と、その周囲における第１ないし第３のマスク部とから構成されている。第１ないし第３の透過部は、何れの原色光も透過し、順に数字・カナ・アルファベットの意匠を象って形成されている。他方、第１マスク部は、赤（長波長側）の原色光のみを吸収し、第２マスク部は、緑（中間領域内）の原色光のみを吸収し、第３マスク部は、青（短波長側）の原色光のみを吸収する。各マスク部は、光を波長に応じて吸収する光選択吸収材により形成される。
この表示装置の重なった選択表示層に対し、赤の原色光を発光すると、第１マスク部のみ光が吸収され、第１透過部や、これに重なった第２，第３の選択表示層の部分が光を通し、結果数字の意匠が赤く光る。又、緑を発光すると、第２マスク部のみ光が吸収され、第２透過部や、これに重なった第１，第３の選択表示層の部分が光を通し、結果カナの意匠が緑に光る。同様に、青を発光すると、第３透過部等において光を通し、結果アルファベットの意匠が青く光る。このようにして、所定のボタン表面という同一箇所において、表示を３種の意匠の何れかに切り替えることが可能となっている。
【先行技術文献】
【特許文献】
【０００３】
【特許文献１】特開２００４−３５５３６８号公報
【発明の概要】
【発明が解決しようとする課題】
【０００４】
このような表示装置では、各マスク部によって表示の意匠が象られるが、各マスク部は光選択吸収材で形成され、所定波長領域外で透光性を有するため、充分な遮光を行うには、光選択吸収剤における吸収効率を良好にするように形成しなければならず、マスク部の形成に手間がかかり、形成の精度を確保し難い。例えば、マスク部を印刷により形成する場合には、印刷回数を増加する必要があり、各印刷において位置のばらつきを生じ得るため、マスク部の位置ずれが発生し易くなる。
又、このような表示装置では、マスク部が所定波長領域外で透光性を有するため、マスク部における照明光の完全な遮光は難しく、発光する意匠に対するコントラストを確保し難い。
そこで、コントラストを良好にするため、何れの透過部にも重ならないマスク部の部分を黒く塗って遮光することが考えられる。
しかし、その黒い塗布部分が形成時等においてずれてしまい、何れかの透過部にはみ出てしまうと、透過部による意匠に欠けが生じ、意匠の形状や美観を損ねることになる。
そこで、請求項１に記載の発明は、コントラストを良好に確保しながら、複数の意匠を何れも欠けのない状態で切替表示することのできる光学構造体を提供することを目的としたものである。
【課題を解決するための手段】
【０００５】
上記目的を達成するために、請求項１に記載の発明は、第１特定色の光を透過せず他の特定色の光を透過する第１選択透過領域を有する第１マスク層、第２特定色の光を透過せず他の特定色の光を透過する第２選択透過領域を有する第２マスク層、並びに、前記第１選択透過領域及び前記第２選択透過領域の重複する領域より小さい遮光領域を有する遮光層を含む光学積層体と、当該光学積層体を前記第１特定色又は前記第２特定色で切り替えて照明可能な照明手段とを備えたことを特徴とするものである。
請求項２に記載の発明は、上記発明において、更に、前記光学積層体は、第ｎ特定色（ｎ＝３又は３，４又は３，４，５又は・・）の光を透過せず他の特定色の光を透過する第ｎ選択透過領域を有する第ｎマスク層を含んでいると共に、前記遮光層が前記第１選択透過領域ないし前記第ｎ選択透過領域の重複する領域より小さい遮光領域を有するものとなっており、前記照明手段は、前記第１特定色ないし前記第ｎ特定色の何れかに切り替えて照明可能であるようになっていることを特徴とするものである。
請求項３に記載の発明は、上記発明において、前記遮光層は、前記光学積層体の形成精度に応じた分だけ小さくなっていることを特徴とするものである。
【発明の効果】
【０００６】
請求項１に記載の発明によれば、遮光領域の形成によりコントラストを高い状態としながら、印刷ずれ等が発生しても欠けのない意図通りの形状に係る各意匠の表示を行うことができる。
請求項２に記載の発明によれば、３種類以上の意匠の表示が可能であり、しかも、何れの意匠に対してもコントラストを良好に確保しながら、印刷ずれ等が発生しても何れの意匠の形状も意図した通りのものとすることができる。
請求項３に記載の発明によれば、各意匠の形状を意図通りのものとしながら、コントラスト向上のための遮光領域を最大限に確保することができ、各意匠をはっきりと明瞭に表示することができる。
【図面の簡単な説明】
【０００７】
【図１】本発明に係る光学構造体を含む表示装置の（ａ）前面図，（ｂ）一部水平断面概念図である。
【図２】図１の光学構造体の（ａ）遮光層，（ｂ）第１マスク層，（ｃ）第２マスク層，（ｄ）光学積層体，（ｅ）青色発光状態，（ｆ）赤色発光状態のパターンを示す概念図である。
【図３】（ａ）本発明で第１マスク層がずれた場合，（ｂ）比較例１で第１マスク層がずれた場合，（ｃ）比較例１の青色発光状態，（ｄ）本発明で第２マスク層がずれた場合，（ｅ）比較例２で第２マスク層がずれた場合，（ｆ）比較例１の赤色発光状態を示す概念図である。
【発明を実施するための形態】
【０００８】
以下、本発明に係る実施の形態の例につき、適宜図面を用いて説明する。なお、本発明の形態は、以下のものに限定されない。
【０００９】
図１（ａ）は本発明に係る光学構造体１を含む表示装置の前面図であり、図１（ｂ）は光学構造体１等の一部水平断面概念図（図の上が表示装置の前方・後記図２のパターンと合致しない概念図）である。
光学構造体１は、全体が平板状であり、機枠２と、機枠２の前面に配された透光性を有する前カバー４の内部に設置されている。光学構造体１は、積層構造の光学積層体６と、当該光学積層体６に沿う導光板７を有している。光学積層体６は、光学構造体１のほぼ全体に沿っており、又その前面の大部分に亘っていて、光学積層体６の前面が表示面となっている。導光板７は、機枠２の後面内側に沿っており、その前側に光学積層体６が配置されている。
光学構造体１は、図１（ａ）では機枠２や前カバー４で覆われて成る独立した表示装置として示しているが、携帯端末を始めとする機器の入力部（ボタン等）や表示部等に配置され（ボタンや機器等に組み込まれ）ても良い。入力部に組み込まれた場合には、表示の態様（切替状態）に応じて入力指令を切替えることができる。
【００１０】
又、光学構造体１の左辺縁であって、光学積層体６の左側には、青と赤で切り替えて発光可能な発光手段８が、機枠２への固定により配置されている。発光手段８は、ここでは（複数の）青色ＬＥＤと（複数の）赤色ＬＥＤである。尚、青と赤で切替発光可能なＬＥＤ４を用いても良いし、ＬＥＤ以外の蛍光管等の発光手段を用いても良い。又、青や赤以外の色を用いて良いし、３色以上を用いて良いし、色の組合せを様々に変えて良い。
【００１１】
導光板７は、発光手段８からの光を、自身の前面全体ないしその前方へ導く部材である。発光手段８からの光が導光板７の右肉厚部に入射するように、発光手段８の向きが調整されており、その入射した光が、導光板７全体に均一に拡散され、更に前面前方へ導かれる。
導光板７と発光手段８により、基板１２等に対する背面側からの照明が可能となり、これらにより照明手段が構成される。尚、光ファイバーやミラー等を組み合わせたり、あるいは、導光板７を省略して、基板１２に導光板７と同様な機能を備えさせたり、導光板７を省略して、発光手段８を基板１２後面側に配置し、基板１２を直接照射したりする等、照明手段の構成を適宜変更することができる。
【００１２】
光学積層体６は、導光板７前面上に配置される基板１２と、基板１２前面に形成される、遮光層１４・第１マスク層１６・第２マスク層１８を含む。尚、発光色数に応じ、マスク層の数を増やして良い。
基板１２は透光性を有する板状の部材であり、ここでは合成樹脂製の透明平板である。基板１２は導光板７と接しているが、導光板７の光が届く範囲内において、一部あるいは全部を離間させても良い。又、基板１２の大きさは導光板７と同様としているが、導光板７をより大きくする等、適宜変更することができる。
基板１２の前面には、基板１２側から遮光層１４・第１マスク層１６・第２マスク層１８が順に形成されている。尚、形成順序は適宜変更可能であるが、コントラストの充分な確保の観点から、好ましくは遮光層１４を最も基板１２側とする。
これらの形成は、ここでは印刷により、更に詳しくはシルク印刷により行われる。
尚、図１（ｂ）において、第１マスク層１６・第２マスク層１８が基板１２から離れて描かれているが、基板１２と接触するように形成することができる。
【００１３】
遮光層１４は、遮光性のある材料により形成され、ここでは黒インクにより形成される。尚、遮光には、完全に光を遮ることに加え、僅かに（各マスク領域でマスクされる光の透過率より低い状態で）光を通すことも含めて良い。
遮光層１４は、図２（ａ）に示すようなパターンで形成される。即ち、遮光層１４は、黒インクを塗布される遮光領域ＢＫと、黒インクを塗布されない非遮光領域ＮＢＫを有する。尚、図２（ａ）〜（ｄ）において、各種材料の適用部分にハッチングを施し、材料の違いによりハッチングの種類を変える。図２（ａ）における黒インク塗布部分（遮光領域ＢＫ）には、×状の太めのハッチングを施している。
遮光層１４のパターンは、非遮光領域ＮＢＫと遮光領域ＢＫが逆になったものや、非遮光領域ＮＢＫに囲まれた遮光領域ＢＫ（の一部分）が存在するものや、図形の代わりに文字が存在するものや、図形と文字の組合せとしたもの等、様々に形成することができ、各マスク層においても同様である。
【００１４】
第１マスク層１６は、赤色を呈する透光性のある材料、即ち赤色光（赤色に対応する波長を有する光）を透過し他の色（他の波長を有する光）は透過しない光選択透過材（バンドパスフィルタ）により形成される。換言すれば、第１マスク層１６は、青色の光を透過せず赤色の光を透過する光選択透過材（赤色光選択透過材）により形成される。
光選択透過材による第１マスク層１６の形成は、上記他の色（第１マスク層１６では青色）の光等を吸収し、これ以外の色の光（第１マスク層１６では赤色）を吸収しないインクによる着色によって行うことができる。尚、上記他の色（青）のみを反射し、これ以外の色の光（赤色等）を反射せず透過する光選択反射材を、光選択透過材として用いて、第１マスク層１６を形成することができる。当該光選択反射材は、例えば光学多層膜として形成することができ、その光学多層膜の形成は、例えば真空蒸着法により行うことができる。
第１マスク層１６は、図２（ｂ）に示すようなパターンで形成され、複数種類の意匠の表示における表示対象の一つである第１の意匠として形成される。第１マスク層１６は、赤色光選択透過材が配置される第１マスク領域ＲＤと、当該領域以外の透光性を有する第１非マスク領域ＮＲＤを備える。図２（ｂ）における赤色光選択透過材の適用部分（第１マスク領域ＲＤ）には、／状の細めのハッチングを施している。
尚、第１マスク層１６（赤色光選択透過材）における、波長に対する透過率の分布は、赤色に対応する特定の波長において極大値をとりその両側で急峻に下降するものとしたり、あるいは同様な極大値の片側あるいは両側で緩やかに下降するものとしたり、赤色の領域内の特定範囲において極大値と同様の値を維持し、その両側で下降するものとしたり、青色に対応する波長以外の波長を全て透過するものとしたりする等、様々に変更可能であって、第２マスク層１８でも同様である。
【００１５】
第２マスク層１８は、青色を呈する透光性のある材料、即ち青色光を透過し他の色は透過しない光選択透過材により形成される。換言すれば、第２マスク層１８は、赤色の光を透過せず青色の光を透過する光選択透過材（青色光選択透過材）により形成される。
光選択透過材による第２マスク層１８の形成は、上記他の色（第２マスク層１８では赤色）の光等を吸収し、これ以外の色の光（第２マスク層１８では青色）を吸収しないインクによる着色によって行うことができる。尚、第１マスク層１６と同様に、上記他の色（赤）のみを反射し、これ以外の色の光（青色等）を反射せず透過する光選択反射材を、光選択透過材として用いて、第２マスク層１８を形成することができる。
第２マスク層１８は、図２（ｃ）に示すようなパターンで形成され、表示対象の別の一つである第２の意匠として形成される。第２マスク層１８は、青色光選択透過材が配置される第２マスク領域ＢＵと、当該領域以外の透光性を有する第２非マスク領域ＮＢＵを備える。図２（ｃ）における青色光選択透過材の適用部分（第２マスク領域ＢＵ）には、＼状の細めのハッチングを施している。
【００１６】
そして、図２（ｄ）に示すように、基板１２上において、遮光層１４・第１マスク層１６・第２マスク層１８は重ねられており、第１マスク層１６の第１非マスク領域ＮＲＤは、遮光層１４の非遮光領域ＮＢＫより小さく形成されている。
当該小ささの程度は、各層の形成の精度（印刷精度）、換言すれば最大許容誤差（最大許容印刷誤差）に応じて決定され、例えば最大許容印刷誤差がプラスマイナス１００μ（ミクロン）であるとすると、第１非マスク領域ＮＲＤは遮光層１４の非遮光領域ＮＢＫより幅において２００μより僅かに余裕のある２５０μだけ小さく、高さにおいても同様である。又、小ささの程度について別の観点から述べると、第１非マスク領域ＮＲＤの一部は遮光層１４の非遮光領域ＮＢＫの一部と（ほぼ）相似形状であるが、隙間が同等になる状態で後者の中に前者を入れると、当該隙間が相似部分において１００μ強となる。尚、図２では、理解を容易にするため、当該隙間が誇張して描かれている。
又、第２マスク層１８の第２非マスク領域ＮＢＵは、遮光層１４の非遮光領域ＮＢＫより同様に小さく形成されている。
【００１７】
よって、基板１２上では、次の各領域が存在している。
即ち、遮光領域ＢＫ・第１マスク領域ＲＤ・第２マスク領域ＢＵが重なる領域ＢＢと、非遮光領域ＮＢＫ・第１マスク領域ＲＤ・第２マスク領域ＢＵが重なる領域ＲＢと、非遮光領域ＮＢＫ・第１マスク領域ＲＤ・第２非マスク領域ＮＢＵが重なる領域ＲＥと、非遮光領域ＮＢＫ・第１非マスク領域ＮＲＤ・第２マスク領域ＢＵが重なる領域ＢＥと、非遮光領域ＮＢＫ・第１非マスク領域ＮＲＤ・第２非マスク領域ＮＢＵが重なる領域ＮＮである。
尚、領域ＲＥを始めとする一部の領域（の組合せ）について、存在しないようにしても良い。
【００１８】
領域ＢＢは、遮光領域ＢＫと同一である。図２（ｄ）では、上記３種のハッチングが全て重なって示されている。尚、領域ＢＢないしこれより（最大許容印刷誤差に応じた分だけ）小さい領域において、少なくとも何れかのマスク領域を非マスク領域にすることができる。
領域ＲＢは、最大許容印刷誤差に応じた大きさになり、実際にはごく僅かな広さである。図２（ｄ）では、何れも細めの／状と＼状の上記２種のハッチングが重なって示されている。
領域ＲＥは、第１非マスク領域ＮＲＤの外側上下であって領域ＲＢより内側の２部分に分かれた領域であり、図２（ｄ）では細めの／状のハッチングで示されている。
領域ＢＥは、第２非マスク領域ＮＲＤの外側左右であって領域ＲＢより内側の２部分に分かれた領域であり、図２（ｄ）では細めの＼状のハッチングで示されている。
領域ＮＮは、領域ＲＥ，ＢＥで囲まれており、図２（ｄ）ではハッチング無しの状態で示されている。
【００１９】
尚、光学構造体１ないし表示装置は、図示しない制御装置やスイッチを内部あるいは外付けで備えている。制御装置は、単数又は複数のスイッチや発光手段８と電気的に接続されている。制御装置は、スイッチの状態に応じ（スイッチの指令に基づき）、発光手段８の発光の有無や、発光色（赤又は青）の切り替えを行う。照明手段について、制御装置やスイッチを含めて構成することもできる。
【００２０】
このような光学構造体１ないし表示装置は、主に次のように動作する。
スイッチにより発光手段８の消灯が指令されると、制御装置は発光手段８を消灯し、光学積層体６における表示を黒一色とする（非表示状態）。
【００２１】
一方、スイッチにより発光手段８の青色点灯が指令されると、制御装置は発光手段８を青く点灯し、光学積層体６の導光板７は発光手段８からの青色光を全面に導く。
すると、光学積層体６は、図２（ｅ）で示されるような状態となる。尚、図２（ｅ），（ｆ）において、ハッチングの種類は表示色（黒を含む）に対応している。
即ち、領域ＲＤに対応する、領域ＢＢ，ＲＢ，ＲＥは、黒く表示される。又、領域ＮＲＤに対応する、領域ＢＥ，ＮＮは、青く表示される。図２（ｅ），（ｆ）の符号における「＋」は、「又は」の意味であり、換言すれば各領域を合わせた領域の意味である。
【００２２】
領域ＢＢは、遮光領域ＢＫにより、青色発光を遮る。尚、領域ＢＢでは、第１マスク領域ＲＤと第２マスク領域ＢＵも重なっており、第１マスク領域ＲＤによっても青色光は遮られる。
領域ＲＢでは、第１マスク領域ＲＤと第２マスク領域ＢＵが重なっており、第１マスク領域ＲＤによって青色光が遮られる。
領域ＲＥでは、第１マスク領域ＲＤの一部が位置しており、これによって青色光が遮られる。
領域ＢＥでは、第２マスク領域ＢＵの一部のみが位置しており、青色光は透過される。
領域ＮＮでは、遮光領域ＢＫ・第１マスク領域ＲＤ・第２マスク領域ＢＵの何れも位置していないため、青色光は透過される。
従って、第１非マスク領域ＮＲＤにおける青色発光を意図して形成される第１の意匠は、意図した通りの形状で青く表示される。
又、遮光領域ＢＫ（領域ＢＢ）の設置により、第１の意匠の表示のために青色発光したとしても、第１の意匠とのコントラストがはっきりと大きく確保される。
【００２３】
他方、スイッチにより発光手段８の赤色点灯が指令されると、制御装置は発光手段８を赤く点灯し、光学積層体６の導光板７は赤色光を全面に導く。
すると、光学積層体６は、図２（ｆ）で示されるような状態となる。
即ち、領域ＢＵに対応する、領域ＢＢ，ＲＢ，ＢＥは、黒く表示される。又、領域ＮＢＵに対応する、領域ＲＥ，ＮＮは、赤く表示される。
【００２４】
領域ＢＢは、遮光領域ＢＫにより、赤色発光を遮る。尚、領域ＢＢでは、第１マスク領域ＲＤと第２マスク領域ＢＵも重なっており、第２マスク領域ＢＵによっても青色光は遮られる。
領域ＲＢでは、第１マスク領域ＲＤと第２マスク領域ＢＵが重なっており、第２マスク領域ＢＵによって赤色光が遮られる。
領域ＢＥでは、第２マスク領域ＢＵの一部のみが位置しており、これによって赤色光が遮られる。
領域ＲＥでは、第１マスク領域ＲＤの一部が位置しており、赤色光は透過される。
領域ＮＮでは、非遮光領域ＮＢＫであり、且つ第１マスク領域ＮＲＤであり、且つ第２マスク領域ＮＢＵであるため、赤色光は透過される。
従って、第２非マスク領域ＮＢＵにおける赤色発光を意図して形成される第２の意匠は、意図した通りの形状で赤く表示される。
又、遮光領域ＢＫ（領域ＢＢ）の設置により、第２の意匠の表示のために赤色発光したとしても、第２の意匠とのコントラストがはっきりと大きく確保される。
【００２５】
次いで、主に図３に基づき、遮光層１４と、第１マスク層１６や第２マスク層１８とが、ずれて形成された場合（ここでは各層が印刷により形成される際における最大許容印刷誤差目一杯まで互いにずれたとき、図３（ａ），（ｄ））、及び本発明に属さない比較例（図３（ｂ），（ｃ），（ｅ），（ｆ））について説明する。
尚、図３（ａ），（ｂ），（ｄ），（ｅ）におけるハッチングは図２（ａ）〜（ｄ）におけるハッチングと同様に付され、図３（ｃ），（ｆ）におけるハッチングは図２（ｅ），（ｆ）におけるハッチングと同様に付される。又、図３の符号における「＊」は、「且つ」の意味であり、換言すれば互いに重複する領域の意味である。
【００２６】
図３（ａ）は、本発明に係る遮光層１４と第１マスク層１６が、上下方向において、前者が上へ（後者が下へ）、互いにずれた場合を示す図である。
遮光層１４の非遮光領域ＮＢＫは、第１マスク層１６の第１非マスク領域ＮＲＤより（最大許容印刷誤差に応じた分だけ）大きく形成されている。
よって、遮光層１４に対して第１マスク層１６が下に相対的にずれて形成されたとしても、なお第１非マスク領域ＮＲＤは非遮光領域ＮＢＫに収まる。
従って、本発明においては、遮光層１４と第１マスク層１６の形成時にずれが生じたとしても、青色点灯時、最大許容印刷誤差程度の僅かな下への位置ずれが生ずるものの、結局図２（ｅ）に示されるような意図通りの形状に係る第１の意匠が表示される。
【００２７】
これに対し、図３（ｂ）に示されるような比較例１を考える。比較例１では、第１マスク層１６は本発明と同一であるが、遮光層１４ａの非遮光領域ＮＢＫａが、本発明の遮光層１４の非遮光領域ＮＢＫと異なり、第１非マスク領域ＮＲＤに対し、（第２非マスク領域ＮＢＵへの対応部分を除いて）全く余裕を持たないものとなっている。
この場合、遮光層１４ａと第１マスク層１６が図３（ａ）の場合と同様にずれると、第１非マスク領域ＮＲＤに対して遮光領域ＢＫａが入り込んでしまい、領域ＢＫａ＊ＮＲＤを発生させてしまう。
よって、比較例１においては、遮光層１４ａと第１マスク層１６の形成時にずれが生じると、図３（ｃ）に示されるような、第１の意匠の形状とは異なる、領域ＮＲＤ＊ＢＫａが欠けた意図しない形状の意匠（領域ＮＲＤ＊ＮＢＫａ）を表示してしまう。
【００２８】
他方、図３（ｄ）は、本発明に係る遮光層１４と第２マスク層１８が、左右方向において、前者が右へ（後者が左へ）、互いにずれた場合を示す図である。
遮光層１４の非遮光領域ＮＢＫは、第２マスク層１８の第２非マスク領域ＮＢＵより（最大許容印刷誤差に応じた分だけ）大きく形成されている。
よって、遮光層１４に対して第２マスク層１８が左に相対的にずれて形成されたとしても、なお第２非マスク領域ＮＲＤは非遮光領域ＮＢＫに収まる。
従って、本発明においては、遮光層１４と第２マスク層１８の形成時にずれが生じたとしても、赤色点灯時、最大許容印刷誤差程度の僅かな左への位置ずれが生ずるものの、結局図２（ｆ）に示されるような意図通りの形状に係る第２の意匠が表示される。
【００２９】
これに対し、図３（ｅ）に示されるような比較例２を考える。比較例２では、第２マスク層１８は本発明と同一であるが、遮光層１４ａの非遮光領域ＮＢＫａが、本発明の遮光層１４の非遮光領域ＮＢＫと異なり、第２非マスク領域ＮＢＵに対し、（第１非マスク領域ＮＲＤへの対応部分を除いて）全く余裕を持たないものとなっている。
この場合、遮光層１４ａと第２マスク層１８が図３（ｄ）の場合と同様にずれると、第２非マスク領域ＮＢＵに対して遮光領域ＢＫａが入り込んでしまい、領域ＢＫａ＊ＮＢＵを発生させてしまう。
よって、比較例２においては、遮光層１４ａと第２マスク層１８の形成時にずれが生じると、図３（ｆ）に示されるような、第２の意匠の形状とは異なる、領域ＢＫａ＊ＮＢＵが欠けた意図しない形状の意匠（領域ＮＢＵ＊ＮＢＫａ）を表示してしまう。
【００３０】
以上のような本発明の光学構造体１では、第１特定色（青色）の光を透過せず他の特定色（赤色）の光を透過する第１選択透過領域（第１マスク領域ＲＤ）を有する第１マスク層１６、第２特定色（赤色）の光を透過せず他の色（青色）の光を透過する第２選択透過領域（第２マスク領域ＢＵ）を有する第２マスク層１８、並びに、前記第１選択透過領域（第１マスク領域ＲＤ）及び前記第２選択透過領域（第２マスク領域ＢＵ）の重複する領域（領域ＢＢ＋ＲＢ）より小さい遮光領域ＢＫを有する遮光層１４を含む光学積層体６と、光学積層体６を第１特定色（青色）又は第２特定色（赤色）で切り替えて照明可能な照明手段（導光板７及び発光手段８）とを備えている。
従って、遮光層１４と他の層が相対的にずれて形成されたとしても、第１選択透過領域（第１マスク領域ＲＤ）及び第２選択透過領域（第２マスク領域ＢＵ）の重複する領域（領域ＢＢ＋ＲＢ）から遮光領域ＢＫが出ないようにすることができ、遮光領域ＢＫの形成によりコントラストを高い状態としながら、欠けのない意図通りの形状に係る各意匠の表示を行うことができる。又、ある程度の形成ずれを許容しても意図通りの形状となるため、各マスク層における選択遮光性を高めるために印刷回数の増加等をしたとしても各マスク層の形成が容易となるし、コントラストの高い正確な表示を行える装置を低コストで効率良く作製することが可能となる。
【００３１】
又、遮光層１４は、光学積層体６の形成精度に応じた分（最大許容印刷誤差）だけ小さくなっている。
よって、各意匠に欠けを生じさせないようにしながら、コントラスト向上のための遮光領域ＢＫを最大限に確保することができ、各意匠をはっきりと明瞭に表示することができる。
【００３２】
尚、以上の光学構造体１に対し、更に照明手段の緑色発光を可能とし、第１マスク層１６につき青色の光を透過せず赤色及び緑色の光を透過する光選択透過材（青色以外透過の光選択透過材）により形成し、第２マスク層１８につき赤色の光を透過せず青色及び緑色の光を透過する光選択透過材（赤色以外透過の光選択透過材）により形成し、更に緑色の光を透過せず青色及び赤色の光を透過する光選択透過材（緑色以外透過の光選択透過材）により形成される第３マスク層を設け、遮光層１２につき第１選択透過領域、第２選択透過領域、及び緑色以外透過の光選択透過材で形成される第３選択透過領域の重複する領域より小さい遮光領域ＢＫを有するものとすると、次の通りになる。
即ち、更に、光学積層体６は、第３特定色（緑色）の光を透過せず他の色（赤色及び青色）の光を透過する第３選択透過領域を有する第３マスク層を含んでいると共に、遮光層１４が第１選択透過領域ないし第３選択透過領域の重複する領域より小さい遮光領域ＢＫを有するものとなっており、照明手段は、前記第１特定色（青色）ないし第３特定色（緑色）の何れかに切り替えて照明可能であるようになっている。
この場合、３種類の意匠の表示が可能であり、しかも、何れの意匠に対してもコントラストを良好に確保しながら、印刷ずれ等が発生しても何れの意匠の形状も意図した通りのものとすることができ、製造時の歩留まりも良好である。
そして、同様にして更に第１ないし第３特定色の何れとも（波長や波長域の）異なる第ｋ特定色（ｋ＝［４］，［４，５］，［４，５，６］・・、［］は集合を示す）を照明可能とし、且つ第ｋマスク層や遮光領域を設けて、４種類以上の意匠の表示を、コントラストが高く所望の形状を保った状態で、効率良く行うことができる。
【符号の説明】
【００３３】
１・・光学構造体、６・・光学積層体、７・・導光板（照明手段の一部）、８・・発光手段（照明手段の一部）、１４・・遮光層、１６・・第１マスク層、１８・・第２マスク層、ＲＤ・・第１マスク領域（第１選択透過領域）、ＢＵ・・第２マスク領域（第２選択透過領域）、ＢＫ・・遮光領域。
【図１】
2013238661.tif 000003
【図２】
2013238661.tif 000004
【図３】
2013238661.tif 000005